(57)【要約】飲料生成装置により液体が供給されたときに飲料を生成する使い捨てパッケージは、底壁および管状の側壁を含む不透性カプセルを備える。側壁は、その上端部から下向きおよび外向きに延在する環状棚を含む。側壁は、垂直な窪みが形成されており、その上端部は環状棚にて終端する。内部空間への開口部を包囲する環状の上側リップは、パッケージを装置の受け部にセットする構成とする。蓋が開口部を封止する。液体供給手段によりカプセルの内部空間に液体が供給され、これがフレーバー媒体に結合して飲料を生成する。カプセルの内部空間において生成される圧力によりカプセルを変形させ、環状棚を少なくとも１つの窪みから引き剥がして１つ以上の貫通開口部を形成する。飲料は、その開口部を通じて分配される。【選択図】図１Ａ
2018513064.tif 000002
【特許請求の範囲】
【請求項１】
飲料生成装置によって使い捨てパッケージに液体が供給されたときに飲料を生成するための、飲料生成装置用の使い捨てパッケージであって、
底壁と、フレーバー媒体を有する内部空間を画定する底壁から上向きに延在する管状の側壁とを含む破断可能な不透性カプセルであって、前記管状の側壁は、その上端部から下向きおよび外向きに延在する環状棚を含み、前記管状の側壁は、その中に形成された少なくとも１つの垂直な窪みを含み、前記少なくとも１つの垂直な窪みの端部は、前記環状棚にて終端し、環状の上側リップは、内部空間への開口部を包囲し、前記環状の上側リップは、使い捨てパッケージを飲料生成装置の受け部にセットする構成とされる、破断可能な不透性カプセルと、
カプセルの内部空間の開口部を封止する孔あけ可能な蓋であって、使用中、前記孔あけ可能な蓋は、飲料生成装置の液体供給手段によって孔あけすることにより、カプセルの内部空間に供給された液体がフレーバー媒体と結合して飲料を生成し、前記カプセルは、内部空間への液体の搬送中、内圧により変形することで、前記環状棚は、前記少なくとも１つの垂直な窪みから引き剥がされて、前記環状棚に少なくとも１つの、飲料を分配可能とする各貫通開口部を形成することができる、孔あけ可能な蓋と、
を備える使い捨てパッケージ。
【請求項２】
請求項１に記載の使い捨てパッケージであって、
（ａ）前記孔あけ可能な蓋は、接着剤によって前記環状の上側リップの上側表面に封止され、
（ｂ）前記孔あけ可能な蓋は、前記環状の上側リップの上側表面に超音波接合され、
（ｃ）前記孔あけ可能な蓋は、前記環状の上側リップの上側表面に加熱定着され、
（ｄ）前記孔あけ可能な蓋は、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｅ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、または
（ｆ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、前記孔あけ可能な蓋の多層構造は、金属箔の層を含む、使い捨てパッケージ。
【請求項３】
請求項１に記載の使い捨てパッケージであって、
（ａ）前記カプセルの管状の側壁は、周方向で互いに離隔した２個、３個、４個、５個、６個、７個、８個、９個、または１０個の垂直な窪みを含み、各垂直な窪みは、前記環状棚にて終端する上端部を有し、その使用中に前記環状棚に２個、３個、４個、５個、６個、７個、８個、９個、または１０個の各貫通開口部を形成することができ、
（ｂ）前記内部空間への開口部の下におけるカプセルの内部空間の容積は、その中に含まれるフレーバー媒体の容積よりも少なくとも３倍だけ大きく、それによって、前記貫通開口部を通じて分配される前にフレーバー媒体を混合および希釈し、
（ｃ）前記カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｄ）前記カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｅ）前記管状の側壁の内部表面は、前記飲料生成装置の操作中に液体およびフレーバー媒体の混合を容易にするよう構成された溝、螺旋状のリッジまたは段部を含み、
（ｆ）前記環状の上側リップは、前記環状棚から上向きに延在する垂直部分と、前記垂直部分から外方に延在する水平部分と、を含み、
（ｇ）前記フレーバー媒体は、ビール、ワイン、スパークリングワイン、サイダー、ウイスキー、ジン、ベルモット、ラム、テキーラ、および／またはアルコール混合ドリンクのアロマおよび／または味および／または口当たりを有し、
（ｈ）前記使い捨てパッケージは、フィルタを含まず、または
（ｉ）前記破断可能な不透性カプセルの内部空間は、仕切られていない、使い捨てパッケージ。
【請求項４】
請求項１に記載の使い捨てパッケージであって、前記カプセルは、金属層を含む多層構造を有する、使い捨てパッケージ。
【請求項５】
請求項１に記載の使い捨てパッケージであって、前記破断可能な不透性カプセルは、破断可能な不透性内側カプセルであり、前記使い捨てパッケージは、更に、不透性外側カプセルを備え、前記破断可能な不透性内側カプセルは、前記不透性外側カプセルに配置され、前記破断可能な不透性内側カプセルは、その使用中に、飲料を前記不透性外側カプセル内に分配するように操作可能であり、前記不透性外側カプセルは、底壁と、その内部空間を画定する前記底壁から上向きに延在する管状の側壁と、を備え、前記管状の側壁の頂部における環状位置決め手段は、前記内側カプセルの環状の上側リップと嵌合することにより、前記内側カプセルを前記外側カプセルの内部空間に懸架し、前記環状位置決め手段の頂部における環状のフランジは、前記外側カプセルの内部空間への開口部を包囲し、前記環状フランジは、前記使い捨てパッケージを前記飲料生成装置の受け部にセットする構成とされ、前記管状の側壁または底壁における液体出口部分は、その使用中に、そこから飲料を分配するよう操作可能である、使い捨てパッケージ。
【請求項６】
請求項５に記載の使い捨てパッケージであって、
（ａ）前記不透性外側カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｂ）前記不透性外側カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｃ）前記外側カプセルの液体出口部分は、前記飲料生成装置の使用中に、前記飲料生成装置の孔あけ要素との係合により孔あけ可能な領域を含むことにより、そこを通じて飲料を分配可能とし、
（ｄ）前記内側カプセルの環状の上側リップの下側表面は、前記外側カプセルの環状位置決め手段の上側表面に接着、超音波接合、または加熱定着され、または
（ｅ）前記不透性外側カプセルは、破断可能な不透性外側カプセルである、使い捨てパッケージ。
【請求項７】
請求項５に記載の使い捨てパッケージであって、前記不透性外側カプセルは、金属層を含む多層構造を有する、使い捨てパッケージ。
【請求項８】
請求項１に記載の使い捨てパッケージから飲料を分配する方法であって、
前記使い捨てパッケージを飲料生成装置の受け部にセットするステップと、
前記蓋を孔あけし、前記カプセルの内部空間に液体を供給するステップと、
前記環状の側壁および底壁が前記環状の上側リップから離れて下向きに移動し、かつ前記環状棚が前記少なくとも１つの垂直な窪みから引き剥がされて、前記環状棚に少なくとも１つの各貫通開口部を形成するように、その内部空間の内圧を増加させることによって、前記カプセルを変形するステップと、
前記少なくとも１つの貫通開口部を通じて飲料をカップ内に分配するステップと、
を含む、方法。
【請求項９】
請求項１に記載の使い捨てパッケージの製造方法であって、前記破断可能な不透性カプセルを熱成形するステップと、フレーバー媒体を前記破断可能な熱成形された不透性カプセルの内部空間に配置するステップと、前記フレーバー媒体を前記破断可能な熱成形された不透性カプセルの内部空間に孔あけ可能な蓋により封止するステップと、を含む、方法。
【請求項１０】
飲料生成装置によって使い捨てパッケージに液体が供給されたときに飲料を生成するための飲料生成装置用の使い捨てパッケージであって、
底壁と、前記底壁の外周から下向きおよび外向きに延在する環状棚と、その中にフレーバー媒体を有する内部空間を画定する前記環状棚から上向きに延在する管状の側壁と、を含む、孔あけ可能な不透性カプセルを備え、前記管状の側壁は、その中に形成された少なくとも１つの垂直な窪みを含み、前記少なくとも１つの垂直な窪みの端部は、前記環状棚にて終端し、前記環状の上側リップは、前記内部空間への開口部を包囲し、前記環状の上側リップは、前記使い捨てパッケージを前記飲料生成装置の受け部にセットする構成とされ、
前記カプセルの内部空間の開口部を封止する孔あけ可能な蓋を備え、使用中、前記孔あけ可能な蓋は、前記飲料生成装置の液体供給手段によって孔あけすることにより、前記カプセルの内部空間に供給された液体が前記フレーバー媒体と結合して飲料を生成し、前記カプセルは、前記内部空間への液体の搬送中、内圧により変形することで、前記底壁が前記環状の上側リップから離れて下向きに移動し、前記環状棚が前記少なくとも１つの垂直な窪みから引き剥がされて、前記環状棚に少なくとも１つの、飲料を分配可能とする各貫通開口部を形成する、使い捨てパッケージ。
【請求項１１】
請求項１０に記載の使い捨てパッケージであって、
（ａ）前記孔あけ可能な蓋は、接着剤によって前記環状の上側リップの上側表面に封止され、
（ｂ）前記孔あけ可能な蓋は、前記環状の上側リップの上側表面に超音波接合され、
（ｃ）前記孔あけ可能な蓋は、前記環状の上側リップの上側表面に加熱定着され、
（ｄ）前記孔あけ可能な蓋は、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｅ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、または
（ｆ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、前記孔あけ可能な蓋の多層構造は、金属箔の層を含む、使い捨てパッケージ。
【請求項１２】
請求項１０に記載の使い捨てパッケージであって、
（ａ）前記カプセルの管状の側壁は、周方向で互いに離隔した２個、３個、４個、５個、６個、７個、８個、９個、または１０個の垂直な窪みを含み、各垂直な窪みは、前記環状棚にて終端する上端部を有し、その使用中に前記環状棚に２個、３個、４個、５個、６個、７個、８個、９個、または１０個の各貫通開口部を形成することができ、
（ｂ）前記内部空間への開口部の下におけるカプセルの内部空間の容積は、その中に含まれるフレーバー媒体の容積よりも少なくとも３倍だけ大きく、それによって、前記貫通開口部を通じて分配される前にフレーバー媒体を混合および希釈し、
（ｃ）前記カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｄ）前記カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｅ）前記管状の側壁の内部表面は、前記飲料生成装置の操作中に液体およびフレーバー媒体の混合を容易にするよう構成された溝、螺旋状のリッジまたは段部を含み、
（ｆ）前記環状の上側リップは、前記管状の側壁から外方に延在する水平部分を含み、
（ｇ）前記フレーバー媒体は、ビール、ワイン、スパークリングワイン、サイダー、ウイスキー、ジン、ベルモット、ラム、テキーラ、および／またはアルコール混合ドリンクのアロマおよび／または味および／または口当たりを有し、
（ｈ）前記使い捨てパッケージは、フィルタを含まず、または
（ｉ）前記破断可能な不透性カプセルの内部空間は、仕切られていない、使い捨てパッケージ。
【請求項１３】
請求項１０に記載の使い捨てパッケージであって、前記カプセルは、金属層を含む多層構造を有する、使い捨てパッケージ。
【請求項１４】
請求項１０に記載の使い捨てパッケージであって、前記破断可能な不透性カプセルは、破断可能な不透性内側カプセルであり、前記使い捨てパッケージは、更に、不透性外側カプセルを備え、前記破断可能な不透性内側カプセルは、前記不透性外側カプセルに配置され、前記破断可能な不透性内側カプセルは、その使用中に、飲料を前駆不透性外側カプセル内に分配するように操作可能であり、前記不透性外側カプセルは、底壁と、その内部空間を画定する前記底壁から上向きに延在する円筒形の側壁と、を備え、前記管状の側壁の頂部における環状位置決め手段は、前記内側カプセルの環状の上側リップと嵌合することにより、前記内側カプセルを前記外側カプセルの内部空間に懸架し、前記位置決め手段の頂部における環状のフランジは、前記外側カプセルの内部空間への開口部を包囲し、前記環状フランジは、前記使い捨てパッケージを前記飲料生成装置の受け部にセットする構成とされ、前記管状の側壁または底壁における液体出口部分は、そこから飲料を分配するよう操作可能である、使い捨てパッケージ。
【請求項１５】
請求項１４に記載の使い捨てパッケージであって、
（ａ）前記不透性外側カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｂ）前記不透性外側カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｃ）前記外側カプセルの液体出口部分は、孔あけ可能な領域を含み、飲料生成装置は、その使用中に、そこを通じて飲料を分配可能とするよう、前記外側カプセル体の孔あけ可能な領域を孔あけするように構成され、
（ｄ）前記内側カプセルの環状の上側リップの下側表面は、前記外側カプセルの環状位置決め手段の上側表面に接着、超音波接合、または加熱定着され、または
（ｅ）前記不透性外側カプセルは、破断可能な不透性外側カプセルである、使い捨てパッケージ。
【請求項１６】
請求項１４に記載の使い捨てパッケージであって、前記不透性外側カプセルは、金属層を含む多層構造を有する、使い捨てパッケージ。
【請求項１７】
請求項１０に記載の使い捨てパッケージから飲料を分配する方法であって、
前記方法は、
前記使い捨てパッケージを飲料生成装置の受け部にセットするステップと、
前記カプセルの内部空間に液体を供給するステップと、
前記底壁が前記環状の上側リップから離れて下向きに移動し、かつ前記環状棚が前記少なくとも１つの垂直な窪みから引き剥がされて、前記環状棚に少なくとも１つの各貫通開口部を形成するように、その内部空間の内圧を増加させることによって、前記カプセルを変形するステップと、
前記少なくとも１つの貫通開口部を通じて飲料をカップ内に分配するステップと、
を含む、方法。
【請求項１８】
請求項１０に記載の使い捨てパッケージの製造方法であって、前記破断可能な不透性カプセルを熱成形するステップと、フレーバー媒体を前記破断可能な熱成形された不透性カプセルの内部空間に配置するステップと、前記フレーバー媒体を前記破断可能な熱成形された不透性カプセルの内部空間に孔あけ可能な蓋により封止するステップと、を含む、方法。
【請求項１９】
飲料生成装置によって使い捨てパッケージに液体が供給されたときに飲料を生成するための飲料生成装置用の使い捨てパッケージであって、
底壁と、その中にフレーバー媒体を有する内部空間を画定する前記底壁から上向きに延在する管状の側壁と、を含む、孔あけ可能な不透性カプセルを備え、前記管状の側壁は、前記管状の側壁の頂部の上端部から水平に外方に延在する環状棚を含み、前記環状棚は、少なくとも１つの貫通開口部を含み、前記環状棚の下の環状シールにより、前駆少なくとも１つの貫通開口部を封止し、前記環状の上側リップは、前記内部空間への開口部を包囲し、前記上側リップは、前記使い捨てパッケージを前記飲料生成装置の受け部にセットする構成とされ、
前記カプセルの内部空間の開口部を封止する孔あけ可能な蓋を備え、使用中、前記孔あけ可能な蓋は、前記飲料生成装置の液体供給手段によって孔あけすることにより、前記カプセルの内部空間に供給された液体が前記フレーバー媒体と結合して飲料を生成し、前記環状シールは、飲料を分配可能とする内部空間への液体の搬送中、内圧により前記環状棚における前記少なくとも１つの貫通開口部から開封する、使い捨てパッケージ。
【請求項２０】
請求項１９に記載の使い捨てパッケージであって、
（ａ）前記孔あけ可能な蓋は、接着剤によって前記環状の上側リップの上側表面に封止され、
（ｂ）前記孔あけ可能な蓋は、前記環状の上側リップの上側表面に超音波接合され、
（ｃ）前記孔あけ可能な蓋は、前記環状の上側リップの上側表面に加熱定着され、
（ｄ）前記孔あけ可能な蓋は、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｅ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、または
（ｆ）前記孔あけ可能な蓋は、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、前記孔あけ可能な蓋の多層構造は、金属箔の層を含む、使い捨てパッケージ。
【請求項２１】
請求項１９に記載の使い捨てパッケージであって、
（ａ）前記カプセルの環状棚は、２個、３個、４個、５個、６個、７個、８個、９個、または１０個の貫通開口部を含み、
（ｂ）前記飲料生成装置によって供給される液体が前記フレーバー媒体と結合して飲料を生成するための空間があるよう、前記内部空間への開口部の下におけるカプセルの内部空間の容積は、その中に含まれるフレーバー媒体の容積よりも少なくとも３倍だけ大きく、
（ｃ）前記カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｄ）前記カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｅ）前記環状シールは、前記環状棚の下側表面に加熱定着、超音波接合、または接着され、
（ｆ）前記管状の側壁の内部表面は、前記飲料生成装置の操作中に液体およびフレーバー媒体の混合を容易にするよう構成された溝、螺旋状のリッジまたは段部を含み、
（ｇ）前記上側リップは、前記環状棚から上向きに延在する垂直部分と、前記垂直部分から外方に延在する水平部分と、を含み、
（ｈ）前記フレーバー媒体は、ビール、ワイン、スパークリングワイン、サイダー、ウイスキー、ジン、ベルモット、ラム、テキーラ、および／またはアルコール混合ドリンクのアロマおよび／または味および／または口当たりを有し、
（ｉ）前記使い捨てパッケージは、フィルタを含まず、または
（ｊ）前記破断可能な不透性カプセルの内部空間は、仕切られていない、使い捨てパッケージ。
【請求項２２】
請求項１９に記載の使い捨てパッケージであって、前記カプセルは、金属層を含む多層構造を有する、使い捨てパッケージ。
【請求項２３】
請求項１９に記載の使い捨てパッケージであって、前記破断可能な不透性カプセルは、破断可能な不透性内側カプセルであり、前記使い捨てパッケージは、更に、不透性外側カプセルを備え、前記破断可能な不透性内側カプセルは、前記カプセルに配置され、前記破断可能な不透性内側カプセルは、その使用中に、飲料を前記不透性外側カプセル内に分配するように操作可能であり、前記不透性外側カプセルは、底壁と、その内部空間を画定する前記底壁から上向きに延在する管状の側壁とを備え、前記管状の側壁の頂部における環状位置決め手段は、前記内側カプセルの環状の上側リップと嵌合することにより、前記内側カプセルを前記外側カプセルの内部空間に懸架し、前記位置決め手段の頂部における環状のフランジは、前記外側カプセルの内部空間への開口部を包囲し、前記環状フランジは、前記使い捨てパッケージを前記飲料生成装置の受け部にセットする構成とされ、前記管状の側壁または底壁における液体出口部分は、そこから飲料を分配するよう操作可能である、使い捨てパッケージ。
【請求項２４】
請求項２３に記載の使い捨てパッケージであって、
（ａ）前記不透性外側カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｂ）前記不透性外側カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｃ）前記外側カプセルの液体出口部分は、孔あけ可能な領域を含み、飲料生成装置は、その使用中に、そこを通じて飲料を分配可能とするよう、前記外側カプセル体の孔あけ可能な領域を孔あけするように構成され、
（ｄ）前記内側カプセルの環状の上側リップの下側表面は、前記外側カプセルの環状位置決め手段の上側表面に接着、超音波接合、または加熱定着され、または
（ｅ）前記不透性外側カプセルは、破断可能な不透性外側カプセルである、使い捨てパッケージ。
【請求項２５】
請求項２３に記載の使い捨てパッケージであって、前記不透性外側カプセルは、金属層を含む多層構造を有する、使い捨てパッケージ。
【請求項２６】
請求項１９に記載の使い捨てパッケージから飲料を分配する方法であって、前記方法は、
前記使い捨てパッケージを飲料生成装置の受け部にセットするステップと、
前記カプセルの内部空間に液体を供給するステップと、
前記環状シールが前記少なくとも１つの貫通開口部から開封するように、前記内部空間の内圧を増加させることによって、前記環状シールを前記カプセルの環状棚から開封するステップと、
前記少なくとも１つの貫通開口部を通じて飲料を分配するステップと、
を含む、方法。
【請求項２７】
請求項１９に記載の使い捨てパッケージの製造方法であって、前記破断可能な不透性カプセルを熱成形するステップと、フレーバー媒体を前記破断可能な熱成形された不透性カプセルの内部空間に配置するステップと、前記環状棚の貫通開口部を前記環状シールで封止するステップと、前記フレーバー媒体を前記破断可能な熱成形された不透性カプセルの内部空間に前記孔あけ可能な蓋により封止するステップと、を含む、方法。
【請求項２８】
飲料生成装置によって使い捨てパッケージに液体が供給されたときに飲料を生成するための飲料生成装置用の使い捨てパッケージであって、前記使い捨てパッケージは、
その中にフレーバー媒体を任意に有する内部空間を画定する円錐壁と、前記内部空間への開口部を包囲する環状の上側リップと、を含む不透性カプセルを備え、前記環状の上側リップは、前記使い捨てパッケージを前記飲料生成装置の受け部にセットする構成とされ、
前記カプセルの内部空間の開口部を封止する孔あけ可能な蓋を備え、使用中、前記孔あけ可能な蓋は、前記飲料生成装置の液体供給手段によって孔あけすることにより、前記カプセルの内部空間に供給された液体が前記フレーバー媒体と結合して飲料を生成し、
前記円錐壁の一部は、円錐壁の先端部に配置されるか、または円錐壁の先端部に隣接する液体出口部分であり、前記液体出口部分は、そこから飲料を分配するように構成される、使い捨てパッケージ。
【請求項２９】
請求項２８に記載の使い捨てパッケージであって、
（ａ）前記円錐壁の先端部またはそれに隣接する前記液体出口部分は、孔あけ可能な領域を含み、飲料生成装置は、そこから飲料を分配できるように、前記孔あけ領域を孔あけするように構成され、
（ｂ）前記円錐壁の内部表面は、前記飲料生成装置の操作中、液体およびフレーバー媒体の混合を容易にするよう構成された溝、螺旋状のリッジまたは段部を含み、
（ｃ）前記円錐壁の液体出口部分は、液体の前記内部空間への搬送中、内圧により少なくとも１つの、飲料の分配を可能にする開口部を形成するのに適した破断可能な脆弱部分を含み、
（ｄ）前記カプセルは、その中に前記フレーバー媒体を含み、前記内部空間への開口部の下におけるカプセルの内部空間の容積は、その中に含まれるフレーバー媒体の容積よりも少なくとも３倍だけ大きく、それによって、前記貫通開口部を通じて分配される前にフレーバー媒体を混合および希釈し、
（ｅ）前記カプセルは、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）、ポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、またはアクリロニトリル−アクリル酸メチル共重合体から形成され、
（ｆ）前記カプセルは、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有し、
（ｇ）前記カプセルは、その中に前記フレーバー媒体を含み、前記フレーバー媒体は、ビール、ワイン、スパークリングワイン、サイダー、ウイスキー、ジン、ベルモット、ラム、テキーラ、および／またはアルコール混合ドリンクのアロマおよび／または味および／または口当たりを有し、
（ｈ）前記環状の上側リップは、前記円錐の側壁から外方に延在する水平部分を含み、
（ｉ）前記使い捨てパッケージは、フィルタを含まず、または
（ｊ）前記不透性カプセルの内部空間は、仕切られていない、使い捨てパッケージ。
【請求項３０】
請求項２８に記載の使い捨てパッケージであって、前記不透性カプセルは、不透性外側カプセルの内部空間に配置される不透性内側カプセルである、使い捨てパッケージ。
【請求項３１】
請求項２８に記載の使い捨てパッケージであって、前記不透性カプセルは、その内部空間に配置される不透性内側カプセルを含む不透性外側カプセルであり、前記不透性内側カプセルは、その内部空間に前記フレーバー媒体を含む、使い捨てパッケージ。
【請求項３２】
請求項２８に記載の使い捨てパッケージであって、前記カプセルは、金属層を含む多層構造を有する、使い捨てパッケージ。
【請求項３３】
請求項２８に記載の使い捨てパッケージから飲料を分配する方法であって、
前記使い捨てパッケージを飲料生成装置の受け部にセットするステップと、
前記カプセルの内部空間に液体を供給するステップと、
前記円錐壁の液体出口部分を開口するステップと、
前記液体出口部分を通じて飲料を分配するステップと、
を含む、方法。
【請求項３４】
請求項２８に記載の使い捨てパッケージを製造する方法であって、前記不透性カプセルを熱成形するステップと、フレーバー媒体を前記熱成形された不透性カプセルの内部空間に配置するステップと、前記フレーバー媒体を前記熱成形された不透性カプセルの内部空間に前記孔あけ可能な蓋により封止するステップと、を含む、方法。
【発明の詳細な説明】
【関連出願の相互参照】
【０００１】
本出願は、米国特許法第１１９条（ｅ）項に基づき、２０１５年３月２３日付の米国仮特許出願第６２／１３７，０２４号および２０１５年３月２３日付の米国仮特許出願第６２／１３７，０６７号の優先権を主張するものであり、その全内容は本明細書に参照により組み入れる。
【技術分野】
【０００２】
本発明は、シングルサーブ式の飲料生成装置用の使い捨てパッケージにおける改善と、使い捨てパッケージに含まれるフレーバー媒体を、シングルサーブの飲料生成装置によって供給される液体と結合させることによる飲料の生成方法に関する。
【背景技術】
【０００３】
飲料生成装置の受け部にセットされたときに飲料を生成するための多様な使い捨てパッケージが開発されてきた。使い捨てパッケージは、フレーバー媒体が収められている。飲料生成装置は、使い捨てパッケージを開口することによって飲料を生成する。この種の装置は、飲料生成装置によって使い捨てパッケージの内部に供給される液体をフレーバー媒体と結合させて飲料を生成した後、使い捨てパッケージから分配するものである。使い捨てパッケージの開発における一つの挑戦として、連続する使い捨てパッケージに含まれるフレーバー媒体の間でクロスコンタミネーションを生じさせることなく、開口し、飲料を分配することができる使い捨てパッケージが設計されてきた。クロスコンタミネーションは、飲料生成装置が物理的に、使い捨てパッケージに開口部を形成し、フレーバー媒体によって汚染される場合、または、飲料が使い捨てパッケージから分配され、フレーバー媒体からの残りのフレーバーが飲料生成装置の受け部に残留する場合に生じ得る。また、クロスコンタミネーションは、使用期間に亘って、１つの使い捨てパッケージからの飲料生成装置の汚染が、次の使い捨てパッケージに移ることによっても生じ得る。従って、使い捨てパッケージを開口し、飲料を分配する際に、飲料生成装置の汚染を低減させる方法により開口することができる使い捨てパッケージが必要である。
【発明の概要】
【０００４】
本発明は、飲料生成装置によって液体が供給されたときに飲料を生成するための、飲料生成装置用の使い捨てパッケージに関する。使い捨てパッケージは、底壁と、フレーバー媒体を有する内部空間を画定する底壁から上向きに延在する管状の側壁と、を含む破断可能な不透性カプセルを備える。管状の側壁は、その上端部から下向きおよび外向きに延在する環状棚を含む。管状の側壁は、その中に形成された少なくとも１つの垂直な窪みを含み、少なくとも１つの垂直な窪みの上端部は、環状棚にて終端する。環状の上側リップは、内部空間への開口部を包囲する。環状の上側リップは、使い捨てパッケージを飲料生成装置の受け部にセットする構成とする。孔あけ可能な蓋は、カプセルの内部空間の開口部を封止し、使用中、孔あけ可能な蓋は、飲料生成装置の液体供給手段によって孔あけすることにより、カプセルの内部空間に供給された液体がフレーバー媒体と結合して飲料を生成する。カプセルは、内部空間への液体の搬送中、内圧により変形（破断）することで、底壁が環状の上側リップから離れて下向きに移動し、環状棚が少なくとも１つの垂直な窪みから引き剥がされて、飲料を分配可能とする少なくとも１つの貫通開口部を環状棚に形成する。
【０００５】
また、本発明は、飲料生成装置によって液体が使い捨てパッケージに供給されたときに飲料を生成するための、飲料生成装置用の使い捨てパッケージにも関する。使い捨てパッケージは、底壁と、底壁の外周から下向きおよび外向きに延在する環状棚と、その中にフレーバー媒体を有する内部空間を画定する環状棚から上向きに延在する管状の側壁と、を含む破断可能な不透性カプセルを備える。管状の側壁は、その中に形成された少なくとも１つの垂直な窪みを含み、少なくとも１つの垂直な窪みの下側端部は、環状棚にて終端する。環状の上側リップは、内部空間への開口部を包囲する。環状の上側リップは、使い捨てパッケージを飲料生成装置の受け部にセットする構成とする。孔あけ可能な蓋は、カプセルの内部空間の開口部を封止する。使用中、孔あけ可能な蓋は、飲料生成装置の液体供給手段によって孔あけすることにより、カプセルの内部空間に供給された液体がフレーバー媒体と結合して飲料を生成する。カプセルは、内部空間への液体の搬送中、内圧により変形（破断）するように構成することで、管状の側壁および底壁が環状の上側リップから離れて下向きに移動し、環状棚が少なくとも１つの垂直な窪みから引き剥がされて、環状棚に少なくとも１つの、飲料を分配可能とする各貫通開口部を形成する。
【０００６】
更に、本発明は、飲料生成装置によって液体が使い捨てパッケージに供給されたときに飲料を生成するための、飲料生成装置用の使い捨てパッケージに関する。使い捨てパッケージは、底壁と、その中にフレーバー媒体を有する内部空間を画定する底壁から上向きおよび外向きに延在する管状の側壁と、を含む破断可能な不透性カプセルを備える。環状の側壁は、水平に、管状の側壁の頂部の上端部から外方に延在する環状棚を含む。環状棚は、その中に少なくとも１つの貫通開口部を含み、環状棚の下にある環状シールは、少なくとも１つの貫通開口部を封止する。環状の上側リップは、内部空間への開口部を包囲する。環状の上側リップは、使い捨てパッケージを飲料生成装置の受け部にセットする構成とする。孔あけ可能な蓋は、カプセルの内部空間の開口部を封止する。使用中、孔あけ可能な蓋は、飲料生成装置の液体供給手段によって孔あけすることにより、カプセルの内部空間に供給された液体がフレーバー媒体と結合して飲料を生成する。環状のシールは、内部空間への液体の搬送中、内圧により環状棚における少なくとも１つの、飲料を分配可能とする貫通開口部から開封される。
【０００７】
更に、本発明は、飲料生成装置によって液体が使い捨てパッケージに供給されると、飲料を生成するための、飲料生成装置用の使い捨てパッケージに関する。使い捨てパッケージは、その中にフレーバー媒体を有する内部空間を画定する円錐壁と、内部空間への開口部を包囲する環状の上側リップと、を含む不透性カプセルを備える。環状の上側リップは、使い捨てパッケージを飲料生成装置の受け部にセットする構成とする。孔あけ可能な蓋は、カプセルの内部空間の開口部を封止する。孔あけ可能な蓋は、飲料生成装置の液体供給手段によって孔あけすることにより、カプセルの内部空間に供給された液体がフレーバー媒体と結合して飲料を生成するように構成する。円錐壁の一部は、円錐壁の先端部に、または円錐壁の先端部に隣接して配置される液体出口部分であり、液体出口部分は、そこから飲料を分配するように構成する。
【図面の簡単な説明】
【０００８】
【図１】図１Ａ〜１Ｆは、本発明の実施形態による、飲料生成装置用の使い捨てパッケージの断面図である。
【図２】図２Ａ〜２Ｆは、本発明の実施形態による、飲料生成装置用の使い捨てパッケージの断面図である。
【図３】図３Ａ，３Ｂは、本発明の実施形態による、飲料生成装置用の使い捨てパッケージの断面図である。
【図４】図４は、本発明の実施形態による、飲料生成装置用の使い捨てパッケージの断面図である。
【図５】図５は、本発明の実施形態による、飲料生成装置用の使い捨てパッケージの分解図である。
【図６】図６Ａ，６Ｂは、本発明の実施形態による、飲料生成装置用の使い捨てパッケージの断面図である。
【図７】図７は、本発明の実施形態による、飲料生成装置用の使い捨てパッケージの断面図である。
【発明を実施するための形態】
【０００９】
本明細書に、飲料生成装置の液体供給手段によって液体が使い捨てパッケージに供給されたときに飲料を生成するための、飲料生成装置用の使い捨てパッケージの実施形態を記載する。飲料生成装置は、液体を使い捨てパッケージに通過させることによって飲料を生成するよう操作可能であり、ここで、液体は、使い捨てパッケージに含まれるフレーバー媒体（飲料前駆物質）と結合し、続いて飲料を生成する。使い捨てパッケージを開封し、飲料を分配することができるよう、飲料生成装置は、使い捨てパッケージの内部における圧力を増加させるように操作可能である。一実施形態において、使い捨てパッケージの内部に供給される液体により、その中の圧力を増加させることができる。代替的に、飲料生成装置は、使い捨てパッケージの内部における圧力を増加させるよう操作可能なガス供給部品を含むことができる。
【００１０】
消耗品のフレーバー知覚は、渋味、口内コーティング、ふくよかさ等の口当たりの印象（即ち、感覚剤）を喚起する物質と共に、特定のアロマ、味および三叉神経化合物の組み合わせの印象として定義される。アロマ化合物は、脳に信号を喚起する鼻の嗅覚受容体と相互作用し、アロマと解釈される揮発性物質であり、一方で５つの基本味は、味物質の、塩味、甘味、苦味、酸味およびうま味それぞれの特定の味覚受容体との相互作用により誘発される。更に、味知覚は、飲料の色プロファイル等の消耗品の特性が挙げられ、飲料のフレーバー知覚に影響を与え得る。本明細書に開示されるフレーバー媒体（即ち、フレーバー系、感覚的混合物または飲料前駆物質）は、化合物を組み合わせて、所望のアルコール飲料や所望のアルコール混合飲料等の所望の飲料のフレーバー知覚を形成する。飲料前駆物質は、透明液体であり、アルコールを含まない、抽出物を含まない、濃縮物を含まない、未溶解固形物を含まない、および／または精油を含まなくてもよい。アロマ化合物、味化合物、および／または口当たり化合物は、水溶性であってもよい。アロマ化合物等の化合物は、エタノール等のアルコールにおいて相溶性を有することもできる。
【００１１】
一般的に、天然物、特に、追加的に発酵または長期間保存もされてきた農業由来のものにおいて発見される何百もの化学物質のうち、１０種類ほどの化学物質のみが、アロマ、味および口当たりに関与し得る。分離および化学分析技術により、発酵および／または蒸留されたアルコール飲料において検出される何百もの化合物のうち、フレーバー化合物の同定および数量化が可能となる。
【００１２】
天然生成物の同じまたは同様のフレーバー化合物を用いることにより特定の生成物の感覚特性を模倣するフレーバーは、「ネイチャークラフト同一型」と呼ばれ、天然生成物を模した化学成分の組み合わせは「ネイチャークラフト組換型」と呼ばれる。組換型は変更してもよく、または一般に安全と認められていない（ＧＲＡＳを取得していない）フレーバー化合物や、入手可能性の問題により用いることができないフレーバー化合物を置き換えたり、新たなより優れたフレーバーを形成したりするため、新たな化合物を追加してもよい。「組換型」における特定の化合物の省略または追加を通じて、アロマ、フレーバーおよび口当たりの印象の間の重要な相互作用を決定し、また、それぞれについてその全内容が本明細書に参照により組み入れる、本出願人に係る特許文献１：米国特許出願公開第２０１４／０２７２０１９号明細書や、本出願人に係る特許文献２：米国特許出願公開第２０１４／０２７２００６号明細書に概説されている、可能な限り最適なネイチャークラフト同一型製品を作成するために使用することができる。組換型は、各使い捨てパッケージの内部に投入することができるフレーバー媒体の成分として使用し、また本明細書に記載のように所望の味を有するアルコール飲料を生成するように使用することができる。
【００１３】
フレーバー媒体は、飲料生成装置によって、液体ベース、好ましくは水、およびエタノールまたはウォッカ等のアルコールと混合させ、ビール、ワイン、スパークリングワイン、サイダー、ウイスキー、ジン、ベルモット、ラム、テキーラ、および／またはアルコール混合ドリンク（即ちカクテル）等のアロマおよび／または味および／または口当たりを有する飲料を、発酵、蒸留、醸造を必要とせずに、および／またはビール、ワイン、スパークリングワイン、サイダー、ウイスキー、ジン、ベルモット、ラム、またはテキーラの生産に関連するその他の費用と時間がかかる手段（例えば熟成）を必要とせずに生成することができる。代替実施形態では、飲料前駆物質を、低風味ビール、ワイン、スパークリングワイン、サイダー、ウイスキー、ジン、ベルモット、ラム、および／またはテキーラと混合し、上質なビール、ワイン、スパークリングワイン、サイダー、ウイスキー、ジン、ベルモット、ラム、テキーラ、および／またはアルコール混合ドリンク（即ちカクテル）風味の飲料を生成することができる。
【００１４】
使い捨てパッケージの内部に含まれるフレーバー媒体は、約０．１％アルコール度数〜約９０％アルコール度数のアルコール含有量を有するシングルサーブの飲料を生成するのに十分な容量であることが好ましい。例えば、ワインは、約０．１％アルコール度数〜約２５％アルコール度数のアルコール含有量を有することができ、ウイスキーは、約４０％（またはそれ未満の）アルコール度数〜約７０％アルコール度数を有することができ、またビールは、約２％アルコール度数〜約２０％アルコール度数を有することができる。大人の消費者が、所望のアルコール飲料を調理するために各使い捨てパッケージを形成する際に考えられるよりも低いアルコール含有量の飲料を欲する場合、飲料生成装置によって供給され、各フレーバー媒体と結合するアルコールを含有する液体におけるアルコール量は、形成される飲料の種類に基づいて選択し、および／または飲料を生成するのに使用されるアルコールを含有する液体を供給する飲料生成装置のコントローラによって制御することができる。例えば、従来通り醸造した場合、従来であればアルコール含有量が高いビールの風味を有する低アルコールまたはアルコールフリーのビールを飲料生成装置から分配することができる。フレーバー媒体の実施形態は、本出願人に係る特許文献３：米国特許出願公開第２０１６／００７３６７３号明細書に記載されており、これはその全体が本明細書に参照により組み込まれる。
【００１５】
図１Ａ〜図１Ｆは、熱成形されることが好ましい破断可能な不透性カプセル１０１を含む使い捨てパッケージ１００の実施形態を示す。図１Ａ〜図１Ｃは、閉口位置または封止位置における破断可能な不透性カプセル１０１を示す。図１Ｄ〜図１Ｆは、開口位置または開封位置における破断可能な不透性カプセル１０１を示す。代替的な実施形態において、破断可能な不透性カプセル１０１は、射出成形カプセル等の成形カプセルまたはハイドロフォームカプセルであることができる。図１Ａ〜図１Ｃを参照すると、破断可能な不透性カプセル１０１は、底壁１０２と、底壁１０２の外周から下向きおよび外向きに延在する環状棚１０７とを含む。管状の側壁１０３は、環状棚１０７から上向きに延在しており、その中にフレーバー媒体（図示せず）を有する内部空間１０４を画定する。一実施形態において、管状の側壁１０３は、環状棚１０７から上向きに延在する円筒形の側壁または環状棚１０７から上向きおよび外向きに延在する円錐台状の側壁であることができる。代替的な実施形態において、管状の側壁１０３は、角形、角胴形、楕円形、六角形、八角形、または他の形状を有することができる。管状の側壁１０３は、その中に形成される少なくとも１つの垂直な窪み１１１を含み、各垂直な窪み１１１の下側端部１１２は、環状棚１０７にて終端する。環状の上側リップ１０５は、内部空間１０４への開口部を包囲する。環状の上側リップ１０５は、管状の側壁１０３から外方に延在する水平部分を含むことができる。一実施形態において、管状の側壁１０３が円錐台状の側壁である場合、環状の上側リップ１０５は、円錐台状の側壁から上向きに延在する垂直部分と、垂直部分から外方に延在する水平部分とを含むことができる。環状の上側リップ１０５は、使い捨てパッケージ１００を飲料生成装置の受け部にセットする構成とする。
【００１６】
孔あけ可能な蓋１１０（図１Ｃおよび図１Ｆ参照）は、カプセル１０１の内部空間１０４の開口部を封止する。飲料生成装置の使用中、飲料生成装置の液体供給手段によって孔あけ可能な蓋１１０を孔あけすることにより、カプセル１０１の内部空間１０４に供給された液体がフレーバー媒体と結合して飲料を生成する。孔あけ可能な蓋１１０は、接着剤によって管状の上側リップ１０５の上側表面に封止されていることが好ましいが、代替的に、孔あけ可能な蓋１１０は、環状の上側リップ１０５の上側表面に加熱定着または超音波接合されてもよい。カプセル１０１の内部空間１０４は、仕切られていないことが好ましい。
【００１７】
飲料生成装置は、カプセル１０１の内部空間に圧力を生成するように操作可能である。カプセル１０１は、内部空間１０４における液体の搬送中の内圧により変形（破断）することで、底壁１０２が環状の上側リップ１０５から離れて下向きに移動し、環状棚１０７が少なくとも１つの垂直な窪み１１１から引き剥がされて、環状棚１０７に少なくとも１つの、飲料を分配可能とする各貫通開口部１０８を形成する（図１Ｄ〜図１Ｆ参照）。環状棚１０７は、各垂直な窪み１１１から引き剥がされて、飲料を分配することができる各貫通開口部１０８を形成することが好ましい。一実施形態において、熱成形カプセル１０１の管状の側壁１０３は、周方向で互いに離隔した少なくとも２個、３個、４個、５個、６個、７個、８個、９個、または１０個の垂直な窪み１１１を含むことができる。各垂直な窪み１１１は、環状棚１０７にて終端する下側端部１１２を有し、環状棚１０７に少なくとも２個、３個、４個、５個、６個、７個、８個、９個、または１０個の各貫通開口部１０８を形成することができる。使い捨てパッケージ１００は、フィルタを含まないことが好ましい。
【００１８】
飲料生成装置によって供給される液体がフレーバー媒体と結合して飲料を生成するための空間があるよう、内部空間１０４への開口部の下における使い捨てパッケージ１００のカプセル１０１の内部空間１０４の容積は、その中に含まれるフレーバー媒体の容積よりも少なくとも３倍だけ大きいことが好ましい。代替的な実施形態において、内部空間１０４への開口部の下における使い捨てパッケージ１００のカプセル１０１の内部空間１０４の容積は、その中に含まれるフレーバー媒体の容積よりも３倍未満だけ大きくてもよい。一実施形態において、カプセル１０１および孔あけ可能な蓋１１０は、ポリエチレン（ＰＥ）、ポリエチレンテレフタレート共重合体（ＰＥＴＧ）、ポリプロピレン（ＰＰ）またはポリスチレンから形成されることが好ましい。代替的に、カプセル１０１および孔あけ可能な蓋１１０は、ポリエチレンテレフタレート（ＰＥＴ）またはポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、あるいはアクリロニトリル−アクリル酸メチル共重合体等の高バリア材料から形成することができる。一実施形態において、カプセルおよび孔あけ可能な蓋１１０は、例えば、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有することができる。一実施形態において、孔あけ可能な蓋１１０は、多層構造を有することができ、この場合、多層構造からなる層は、前述した材料の１つ以上の他の層に含まれる金属箔から形成される。一実施形態において、カプセル１０１等の、本明細書に記載の使い捨てパッケージは、酸素および／または水蒸気に対する好適なバリア性能を提供するために、金属（例えば、アルミニウムあるいはアルミニウムホイル等の金属箔）および／または多層（金属／プラスチック）材料から構成することができる。
【００１９】
一実施形態において、図２Ａ〜図２Ｆに示すように、使い捨てパッケージ２００は、熱成形されることが好ましい破断可能な不透性カプセル２０１を含む。代替的な実施形態において、破断可能な不透性カプセル２０１は、射出成形カプセル等の成形カプセルまたはハイドロフォームカプセルであることができる。図２Ａ〜図２Ｃは、閉口位置または封止位置における破断可能な不透性カプセル２０１を示す。図２Ｄ〜図２Ｆは、開口位置または開封位置における破断可能な不透性カプセル２０１を示す。図２Ａ〜図２Ｃを参照すると、破断可能な不透性カプセル２０１は、底壁２０２と、その中に内部空間２０４を画定し、底壁２０２から上向きに延在する管状の側壁２０３とを含む。一実施形態において、管状の側壁２０３は、底壁２０２から上向きに延在する円筒形の側壁または底壁２０２から上向きおよび外向きに延在する円錐台状の側壁であることができる。代替的な実施形態において、管状の側壁２０３は、角形、角胴形、楕円形、六角形、八角形、または他の形状を有することができる。内部空間２０４は、その中にフレーバー媒体（図示せず）を含む。管状の側壁２０３は、管状の側壁２０３の上端部から下向きおよび外向きに延在する環状棚２０７を含む。管状の側壁２０３は、その中に形成される少なくとも１つの垂直な窪み２１１を含み、各垂直な窪み２１１の上端部２１３は、環状棚２０７にて終端する。環状の上側リップ２０５は、内部空間２０４への開口部を包囲し、この場合、環状の上側リップ２０５は、環状棚２０７から上向きに延在する垂直部分と、垂直部分から外方に延在する水平部分と、を含むことができる。環状の上側リップ２０５は、使い捨てパッケージ２００を飲料生成装置の受け部にセットする構成とする。
【００２０】
孔あけ可能な蓋２１０（図２Ｃおよび図２Ｆ参照）は、カプセル２０１の内部空間２０４の開口部を封止しており、使用中において、飲料生成装置の液体供給手段によって孔あけ可能な蓋２１０を孔あけすることにより、カプセル２０１の内部空間２０４に供給された液体がフレーバー媒体と結合して飲料を生成する。孔あけ可能な蓋２１０は、接着剤によって環状の上側リップ２０５の上側表面に封止されていることが好ましいが、代替的に、孔あけ可能な蓋２１０は、環状の上側リップ２０５の上側表面に加熱定着または超音波接合されてもよい。カプセル２０１の内部空間２０４は、仕切られていないことが好ましい。
【００２１】
カプセル２０１は、内部空間２０４における液体の搬送中の内圧により変形（破断）することで、管状の側壁２０３および底壁２０２が環状の上側リップ２０５から離れて下向きに移動し、環状棚２０７が少なくとも１つの垂直な窪み２１１から引き剥がされて、環状棚２０７に少なくとも１つの、飲料を分配可能とする貫通開口部２０８を形成する（図２Ｄ〜図２Ｆ参照）。環状棚２０７は、各垂直な窪み２１１から引き剥がされて、飲料を分配することができる各貫通開口部２０８を形成することが好ましい。一実施形態において、熱成形カプセル２０１の管状の側壁２０３は、周方向で互いに離隔した少なくとも２個、３個、４個、５個、６個、７個、８個、９個、または１０個の垂直な窪み２１１を含むことができる。各垂直な窪み２１１は、環状棚２０７にて終端する上端部２１３を有し、環状棚２０７に少なくとも２個、３個、４個、５個、６個、７個、８個、９個、または１０個の各貫通開口部２０８を形成することができる。使い捨てパッケージ２００は、フィルタを含まないことが好ましい。
【００２２】
飲料生成装置によって供給される液体がフレーバー媒体と結合して飲料を生成するための空間があるよう、内部空間２０４への開口部の下における使い捨てパッケージ２００のカプセル２０１の内部空間２０４の容積は、その中に含まれるフレーバー媒体の容積よりも少なくとも３倍だけ大きいことが好ましい。代替的な実施形態において、内部空間２０４への開口部の下における使い捨てパッケージ２００のカプセル２０１の内部空間２０４の容積は、その中に含まれるフレーバー媒体の容積よりも３倍未満だけ大きくてもよい。一実施形態において、カプセル２０１および孔あけ可能な蓋２１０は、ポリエチレン（ＰＥ）、ポリエチレンテレフタレート共重合体（ＰＥＴＧ）、ポリプロピレン（ＰＰ）またはポリスチレンから形成されることが好ましい。代替的に、カプセル２０１および孔あけ可能な蓋２１０は、ポリエチレンテレフタレート（ＰＥＴ）またはポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、あるいはアクリロニトリル−アクリル酸メチル共重合体等の高バリア材料から形成することができる。一実施形態において、カプセル２０１および孔あけ可能な蓋２１０は、例えば、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有することができる。一実施形態において、孔あけ可能な蓋２１０は、多層構造を有することができ、この場合、多層構造からなる層は、前述した材料の１つ以上の他の層に含まれる金属箔から形成される。
【００２３】
一実施形態において、図３Ａおよび図３Ｂに示すように、使い捨てパッケージ３００は、熱成形されることが好ましい破断可能な不透性カプセル３０１を含む。代替的な実施形態において、破断可能な不透性カプセル３０１は、成形カプセル、射出成形カプセル、またはハイドロフォームカプセルであることができる。破断可能な不透性カプセル３０１は、底壁３０２と、その中にフレーバー媒体３０９を有する内部空間３０４を画定し、底壁３０２から上向きに延在する管状の側壁３０３とを含む。一実施形態において、管状の側壁３０３は、底壁３０２から上向きに延在する円筒形の側壁または底壁３０２から上向きおよび外向きに延在する円錐台状の側壁であることができる。代替的な実施形態において、管状の側壁３０３は、角形、角胴形、楕円形、六角形、八角形、または他の形状を有することができる。管状の側壁３０３は、管状の側壁３０３の頂部の上端部から水平に、外方に延在するに環状棚３０７を含む。環状棚３０７は、その中に少なくとも１つの貫通開口部３０８を含み、環状棚３０７の下にある環状のシール３１５（図３Ａ参照）は、少なくとも１つの貫通開口部３０８を封止する。一実施形態において、熱成形されたカプセル３０１の環状棚３０７は、少なくとも２個、３個、４個、５個、６個、７個、８個、９個、または１０個の貫通開口部３０８含むことができる。環状の上側リップ３０５は、内部空間３０４への開口部を包囲している。環状の上側リップ３０５は、環状棚３０７から上向きに延在する垂直部分と、垂直部分から外方に延在する水平部分とを含むことができる。環状の上側リップ３０５は、使い捨てパッケージ３００を飲料生成装置の受け部にセットする構成とする。カプセル３０１の内部空間３０４は、仕切られていないことが好ましい。
【００２４】
孔あけ可能な蓋３１０は、カプセル３０１の内部空間３０４の開口部を封止している。飲料生成装置の使用中、飲料生成装置の液体供給手段によって孔あけ可能な蓋３１０を孔あけすることにより、カプセルの内部空間３０４に供給された液体がフレーバー媒体３０９と結合して飲料を生成する。孔あけ可能な蓋３１０は、接着剤によって環状の上側リップ３０５の上側表面に封止されていることが好ましいが、代替的に、孔あけ可能な蓋３１０は、環状の上側リップ３０５の上側表面に加熱定着または超音波接合されてもよい。環状のシール３１５（図３Ｂ参照）は、内部空間３０４における液体の搬送中の内圧により、環状棚３０７における少なくとも１つの、飲料を分配する各貫通開口部３０８うちの少なくとも１つから開封する。環状のシール３１５は、各貫通開口部３０８のそれぞれから開封することが好ましい。一実施形態においては、圧力の上昇により、環状シール３１５の部分に破裂または破断が生じることによって、貫通開口部３０８を開封する。使い捨てパッケージ３００は、フィルタを含まないことが好ましい。
【００２５】
飲料生成装置によって供給される液体がフレーバー媒体と結合して飲料を生成するための空間があるよう、使い捨てパッケージ３００のカプセル３０１の内部空間３０４の容積は、その中に含まれるフレーバー媒体の容積よりも少なくとも３倍だけ大きいことが好ましい。一実施形態において、カプセル３０１および孔あけ可能な蓋３１０は、ポリエチレン（ＰＥ）、ポリエチレンテレフタレート共重合体（ＰＥＴＧ）、ポリプロピレン（ＰＰ）またはポリスチレンから形成されることが好ましい。一実施形態において、カプセル３０１および／または孔あけ可能な蓋３１０は、酸素および／または水蒸気に対する好適なバリア性能を提供するために、金属（例えばアルミニウム等の金属箔）および／または多層（金属／プラスチック）材料から構成することができる。
【００２６】
一実施形態において、各図１Ａ〜図１Ｆ、図２Ａ〜図２Ｆ、図３Ａおよび図３Ｂの破断可能な不透性カプセル１０１、２０１および３０１は、熱成形されることが好ましい不透性外側カプセルに配置される破断可能な不透性内側カプセルであることができる。一実施形態において、不透性外側カプセルは、図１Ａ〜図１Ｆ、図２Ａ〜図２Ｆ、図３Ａおよび図３Ｂの示すような破断可能な不透性カプセルであってもよい。代替的な実施形態において、不透性外側カプセルは、成形カプセル、射出成形カプセル、またはハイドロフォームカプセルであることができる。不透性内側カプセルを不透性外側カプセルに配置することによって、その内部に生成される圧力によって以前に変形（破断）された不透性内側カプセルから分配される飲料は、不透性外側カプセルの内部空間に指向され、不透性外側カプセルの液体出口部分により、制御された方法で飲料を分配することができる。各不透性内側カプセルは、均一に変形（破断）しなくてもよく、従って、その変形は、その内部空間から非制御下で飲料を分配する結果となり得る。従って、不透性外側カプセルは、分配された飲料を、熱成形された内側カプセルから受容し、そこから飲料を制御可能に分配することができる。
【００２７】
例えば、図４に示すように、使い捨てパッケージ４００は、熱成形されることが好ましい破断可能な不透性内側カプセル４０１を含む。代替的な実施形態において、破断可能な不透性内側カプセル４０１は、成形内側カプセル、射出成形内側カプセル、またはハイドロフォーム内側カプセルであることができる。不透性内側カプセル４０１は、その中にフレーバー媒体４０９を有する内部空間４０４を含む。使い捨てパッケージ４００は、更に、熱成形されることが好ましい不透性外側カプセル４５１を含み、破断可能な不透性内側カプセル４０１は、不透性外側カプセル４５１に配置する。代替的な実施形態において、不透性外側カプセル４５１は、成形外側カプセル、射出成形外側カプセル、またはハイドロフォーム外側カプセルであることができる。
【００２８】
破断可能な不透性内側カプセル４０１は、飲料成形装置の使用中において、飲料を不透性外側カプセル４５１の内部空間４５４内に分配するよう操作可能である。不透性外側カプセル４５１は、底壁４５２と、その中に内部空間４５４を画定し、底壁４５２から上向きに延在する管状の側壁４５３とを含む。一実施形態において、管状の側壁４５３は、底壁４５２から上向きに延在する円筒形の側壁またはその中に内部空間４５４を画定する底壁４５２から上向きおよび外向きに延在する円錐台状の側壁であることができる。代替的な実施形態において、管状の側壁４５３は、角形、角胴形、楕円形、六角形、八角形、または他の形状を有することができる。管状の側壁４５３の頂部における環状の位置決め手段４５７により、内側カプセルの環状の上側リップ４０５（例えば、環状の上側リップ４０５の水平部分）と嵌合することにより、内側カプセル４０１を外側カプセル４５１の内部空間４５４に懸架する。環状位置決め手段４５７の頂部における環状のフランジ４５５は、外側カプセル４５１の内部空間４５４への開口部を包囲する。環状フランジ４５５は、使い捨てパッケージ４００を飲料生成装置の受け部にセットする構成とする。外側カプセル４５１の底壁４５２における液体出口部分４５８は、そこから飲料を分配するよう操作可能である。代替的な実施形態において、外側カプセル４５１の管状の側壁４５３は、液体出口部分４５８を含むことができる。
【００２９】
図４に示す実施形態において、内側カプセル４０１の環状棚４１２は、環状の上側リップ４０５の下の管状の側壁４０３の頂部に配置される。別の実施形態において、内側カプセル４０１の環状棚４１２は、図１Ａ〜図１Ｆに示すように、内側カプセル４０１の底壁４０２に隣接することができる。
【００３０】
孔あけ可能な蓋４６０は、不透性の内側および外側カプセル４０１，４５１の内部空間４０４，４５４の開口部を封止している。孔あけ可能な蓋４６０は、飲料生成装置の液体供給手段によって孔あけすることにより、内側カプセル４０１の内部空間４０４に供給された液体がフレーバー媒体４０９と結合して飲料を生成するように構成する。孔あけ可能な蓋４６０は、接着剤によって環状の上側リップ４０５の上側表面に封止されていることが好ましいが、代替的に、孔あけ可能な蓋４６０は、環状の上側リップ４０５の上側表面に加熱定着または超音波接合されてもよい。代替的な実施形態において、孔あけ可能な蓋４６０は、環状フランジ４５５の上側表面に加熱定着、超音波接合、または接着されてもよい。内側カプセル４０１は、その内部空間４０４への液体の搬送中、内圧により変形（破断）することで、管状の側壁４０３および底壁４０２が環状の上側リップ４０５から離れて下向きに移動し、環状棚４１２が内側カプセル４０１の少なくとも１つの垂直な窪み４１１から引き剥がされて、環状棚４１２に少なくとも１つの各貫通開口部４０８を形成することで、各少なくとも１つの貫通開口部４０８を通じて飲料を分配し、外側カプセル４５１の内部空間４５４に進入することができる。各垂直な窪み４１１は、環状棚４１２から引き剥がされて各貫通開口部４０８を形成することが好ましい。外側カプセル４５１の内部空間４５４に進入する飲料は、制御された方法により外側カプセル４５１から、外側カプセル４５１の底壁４５２または代替的に外側カプセル４５１の管状の側壁４５３における液体出口部分４５８を通じて分配されてもよい。
【００３１】
不透性外側カプセル４５１は、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）またはポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、あるいはアクリロニトリル−アクリル酸メチル共重合体等の高バリア材料から形成することが好ましい。一実施形態において、不透性外側カプセル４５１は、例えば、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有することができる。内側カプセル４０１の環状の上側リップ４０５の下側表面は、外側カプセル４５１の環状位置決め手段４５５の上側表面に接着、超音波接合、または加熱定着されることが好ましい。一実施形態において、外側カプセル４５１の液体出口部分４５８は、開口部であるか、または使い捨てカプセルを飲料成形装置の受け部に挿入する前にユーザにより除去されるシールを有する開口部であることができる。一実施形態において、開口部は、飲料が接触すると溶解する溶解可能なシールを含むことができる。一実施形態において、外側カプセル４５１の液体出口部分４５８は、孔あけ可能な領域を含むことができ、飲料生成装置は、使用中に、外側カプセル体４５１の孔あけ可能な領域を孔あけするように構成されることで、液体出口部分４５８を通じて飲料を分配することができる。一実施形態において、飲料生成装置は、予め決定された時間の後に、例えば、飲料が外側カプセル４５１の内部空間４５４に進入する前、進入中、または進入後等に、外側カプセル体４５１の孔あけ領域を孔あけするように操作可能である。
【００３２】
一実施形態において、図５に示すように、使い捨てパッケージ５００は、破断可能な不透性内側カプセル５０１および不透性外側カプセル５５１を含み、破断可能な不透性内側カプセル５０１は、不透性外側カプセル５５１に配置する。破断可能な不透性内側カプセル５０１および不透性外側カプセル５５１は、熱成形されることが好ましい。代替的な実施形態において、破断可能な不透性内側カプセル５０１および不透性外側カプセル５５１は、成形カプセル、射出成形カプセル、またはハイドロフォームカプセルであることができる。破断可能な不透性内側カプセル５０１は、基部（図示せず）と、その中にフレーバー媒体（図示せず）を含むことが好ましい内部空間５０４を画定し、基部から上向きに延在する管状の側壁５０３とを含む。破断可能な不透性内側カプセル５０１は、飲料生成装置の使用中、飲料を不透性外側カプセル５５１の内部空間５５４内に分配するように操作可能である。不透性外側カプセル５５１は、底壁５５２と、その中に内部空間５５４を画定する底壁５５２から上向きに延在する管状の側壁５５３とを含む。一実施形態において、管状の側壁５５３は、底壁５５２から上向きに延在する円筒形の側壁またはその中に内部空間５５４を画定する底壁５５２から上向きおよび外向きに延在する円錐台状の側壁であることができる。代替的な実施形態において、管状の側壁５５３は、角形、角胴形、楕円形、六角形、八角形、または他の形状を有することができる。一実施形態において、不透性外側カプセル５５１は、破断可能な不透性外側カプセルであることができる。管状の側壁５５３の頂部における環状の位置決め手段５５７により、内側カプセル５０１の環状の上側リップ５０５（例えば、環状の上側リップ５０５の水平部分）と嵌合することにより、内側カプセル５０１を外側カプセル５５１の内部空間５５４に懸架する。位置決め手段５５７の頂部における環状のフランジ５５５は、外側カプセル５５１の内部空間５５４への開口部を包囲する。環状フランジ５５５は、使い捨てパッケージ５００を飲料生成装置の受け部にセットする構成とする。管状の側壁５５３における液体出口部分５５８は、そこから飲料を分配するよう操作可能である。代替的な実施形態において、外側カプセル５５１の底壁５５２は、液体出口部分５５８を含むことができる。
【００３３】
孔あけ可能な蓋５６０は、各内側および外側カプセル５０１，５５１の内部空間５０４，５５４の開口部を封止している。飲料生成装置の使用中、孔あけ可能な蓋５６０は、飲料生成装置の液体供給手段によって孔あけすることにより、内側カプセル５０１の内部空間５０４に供給された液体がフレーバー媒体（図示せず）と結合して飲料を生成する。孔あけ可能な蓋５６０は、接着剤によって環状の上側リップ５０５の上側表面に封止されていることが好ましいが、代替的に、孔あけ可能な蓋５６０は、環状の上側リップ５０５の上側表面に加熱定着または超音波接合されてもよい。代替的な実施形態において、孔あけ可能な蓋５６０は、環状フランジ５５５の上側表面に加熱定着、超音波接合、または接着されてもよい。破断可能な不透性内側カプセル５０１の環状のシール５１５は、内側カプセル５０１の内部空間５０４における液体の搬送中の内圧により、破断可能な不透性内側カプセル５０１の環状棚５０７における少なくとも１つの、飲料を分配する貫通開口部５０８から開封する。環状のシール５１５は、少なくとも１つの各貫通開口部５０８のそれぞれから開封することが好ましい。一実施形態においては、圧力の上昇により、環状シール５１５の部分に破裂または破断が生じることによって、貫通開口部５０８を通じて開封する。
【００３４】
不透性外側カプセル５５１は、ポリエチレン（ＰＥ）、ポリエチレンテレフタレート共重合体（ＰＥＴＧ）、ポリプロピレン（ＰＰ）、ポリスチレン、ポリエチレンテレフタレート（ＰＥＴ）またはポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、あるいはアクリロニトリル−アクリル酸メチル共重合体等の高バリア材料から形成することが好ましい。一実施形態において、不透性外側カプセル５５１は、例えば、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有することができる。内側カプセル５０１の環状の上側リップ５０５の下側表面は、外側カプセル５５１の環状位置決め手段５５５の上側表面に接着、超音波接合、または加熱定着されることが好ましい。一実施形態において、外側カプセル５５１の液体出口部分５５８は、開口部であるか、または使い捨てカプセルを飲料生成装置の受け部にセット前にユーザにより除去されるシールを有する開口部であることができる。一実施形態において、開口部は、飲料が接触すると溶解する溶解可能なシールを含むことができる。一実施形態において、外側カプセル５５１の液体出口部分５５８は、孔あけ可能な領域を含むことができ、飲料生成装置は、使用中に、外側カプセル体５５１の孔あけ可能な領域を孔あけするように構成されることで、液体出口部分５５８を通じて飲料を分配することができる。一実施形態において、飲料生成装置は、予め決定された時間の後に、例えば、飲料が外側カプセル５５１の内部空間５５４に進入する前、進入中、または進入後等に、外側カプセル体５５１の孔あけ可能な領域を孔あけするように操作可能である。
【００３５】
更なる実施形態において、その内部空間に懸架される破断可能な不透性内側カプセルを含む不透性外側カプセル４５１，５５１は、破断可能な不透性外側カプセルであることができる。破断可能な不透性外側カプセルは、液体の内部空間への搬送中の、内部空間における内圧の上昇により開口するように適合することで、圧力の上昇により液体出口部分４５８または５５８を開口した後、飲料を分配することができる。一実施形態において、破断可能な不透性外側カプセルは、図１Ａ〜図１Ｆおよび図２Ａ〜図２Ｆにおいて示すような圧力下で開口するよう操作可能な少なくとも１つの垂直な窪み、または図３に示すように、圧力下で開封する環状シールを含むことができる。
【００３６】
一実施形態において、図６Ａおよび図６Ｂに示すように、使い捨てパッケージ６００は、透過カプセル６０１を含み、これは熱成形されることが好ましい。代替的な実施形態において、不透性カプセル６０１は、射出成形カプセル等の成形カプセルまたはハイドロフォームカプセルであることができる。透過カプセル６０１は、その中にフレーバー媒体６０９を有する内部空間６０４を画定する円錐壁６０３を含む。円錐壁の内部空間は、仕切られていないことが好ましい。環状の上側リップ６０５は、内部空間６０４への開口部を包囲している。環状の上側リップ６０５は、円錐壁６０３から外方に延在する水平部分を含むことができる。代替的に、環状の上側リップ６０５は、円錐壁６０３から上向きに延在する垂直部分、あるいは、円錐壁６０３から上向きに延在する垂直部分と、垂直部分から外方に延在する水平部分とを含むことができる。環状の上側リップ６０５は、使い捨てパッケージ１００を飲料生成装置の受け部にセットする構成とする。一実施形態において、透過カプセル６０１は、破断可能な不透性カプセルであってもよい。
【００３７】
孔あけ可能な蓋６１０は、カプセル６０１の内部空間６０４の開口部を封止している。孔あけ可能な蓋６１０は、飲料生成装置の液体供給手段によって孔あけすることにより、カプセル１０１の内部空間６０４に供給された液体がフレーバー媒体６０９と結合して飲料を生成するように構成する。孔あけ可能な蓋６１０は、接着剤によって環状の上側リップ６０５の上側表面に封止されていることが好ましいが、代替的に、孔あけ可能な蓋６１０は、環状の上側リップ６０５の上側表面に加熱定着または超音波接合されてもよい。
【００３８】
飲料生成装置によって供給される液体がフレーバー媒体と結合して飲料を生成するための空間があるよう、内部空間６０４への開口部の下における使い捨てパッケージ６００の不透性カプセル６０１の内部空間６０４の容積は、その中に含まれるフレーバー媒体６０９の容積よりも少なくとも３倍だけ大きいことが好ましい。代替的な実施形態において、内部空間６０４への開口部の下における使い捨てパッケージ６００のカプセル６０１の内部空間６０４の容積は、その中に含まれるフレーバー媒体の容積よりも３倍未満だけ大きくてもよい。一実施形態において、カプセル６０１および孔あけ可能な蓋６１０は、ポリエチレン（ＰＥ）、ポリエチレンテレフタレート共重合体（ＰＥＴＧ）、ポリプロピレン（ＰＰ）またはポリスチレンから形成されることが好ましい。代替的に、カプセル６０１および孔あけ可能な蓋６１０は、ポリエチレンテレフタレート（ＰＥＴ）またはポリ塩化ビニリデン（ＰＶｄＣ）、エチレンビニルアルコール（ＥＶＯＨ）、ポリテトラフルオロエチレン（ＰＴＦＥ）、ポリクロロトリフルオロエチレン（ＰＣＴＦＥ）、あるいはアクリロニトリル−アクリル酸メチル共重合体等の高バリア材料から形成することができる。一実施形態において、カプセル６０１および孔あけ可能な蓋６１０は、例えば、ＰＥＴ／ＥＶＯＨ／ＰＥＴ、ＰＥＴ／ＰＶＤＣ／ＰＥＴ、ＰＰ／ＰＶＤＣ／ＰＥＴ、ＰＰ／ＰＶＤＣ／ＰＥＴ、または、ＰＥＴ／ＰＴＦＥ／ＰＥＴの各層から形成された多層構造を有することができる。一実施形態において、孔あけ可能な蓋６１０は、多層構造を有することができ、この場合、多層構造からなる層は、前述した材料の１つ以上の他の層に含まれる金属箔から形成される。
【００３９】
円錐壁６０３の一部は、円錐壁６０３の先端部６７０に、または円錐壁６０３の先端部６７０に隣接して配置される液体出口部分６５８であり、液体出口部分６５８は、そこから飲料を分配するように構成する。飲料生成装置は、液体がカプセル６０１の内部空間６０４に供給される間または供給された後、液体出口部分６５８を開口し、これがフレーバー媒体６０９と結合すると飲料を生成するように構成することで、円錐壁６０３の開口した液体出口部分６５８から飲料を制御可能に分配することができる。一実施形態において、液体出口部分６５８は、円錐壁６０３の先端部６７０に隣接するか、または円錐壁６０３の先端部６７０における孔あけ可能な領域であることができ、この場合、飲料生成装置は、液体出口部分６５８の孔あけ可能な領域を孔あけするように構成することで、そこを通じて飲料を分配することができる。一実施形態において、飲料生成装置は、先端部６７０または先端部６７０の一部を切り取り、または切断するように構成することで、先端部６７０は、円錐壁６０３から除去されるか、あるいは部分的に除去され、液体出口部分６５８が開口し、そこを通じて飲料を分配することができる。一実施形態において、円錐壁６０３の一部は、飲料生成装置が円錐壁６０３から先端部６７０を除去または部分的に除去するように、虚弱、変形または貫通させることができる。一実施形態において、円錐壁６０３の一部を虚弱または変更（破断）することにより、飲料生成装置の使用中に、使い捨てパッケージ６００の内部空間６０４において、十分な容量の圧力が生じた後に、液体出口部分６５８は開口する。
【００４０】
図６Ａに示すように、円錐壁６０３の先端部は、尖らせることができる。代替的に、円錐壁６０３の先端部６７０は、図６Ｂに示すように丸くすることができる。底壁を設ける必要なしに、使い捨てパッケージ６００の内部空間６０４を形成することができる円錐壁６０３を設けることによって、使い捨てパッケージ６００からの飲料の完全な排水、またはほぼ完全な排水を容易にすることができる。更に、円錐壁６０３の先端部６７０に隣接するか、または円錐壁６０３の先端部６７０における液体出口部分６５８を通じた飲料の排水は、使い捨てパッケージ６００からの飲料の流れを制御可能に指向することができる。更に、フレーバー媒体は、それと結合される液体よりも高い粘度を有し得るため、使い捨てパッケージ６００の不透性カプセル６０１の円錐壁６０３の円錐形状は、使い捨てパッケージ６００内にフレーバー媒体が残らないように、かつ、飲料を受容するガラス、カップ、または容器において追加の混合が可能となるように、そこに供給される液体に先立ってフレーバー媒体を使い捨てパッケージ６００から押し出すことによって混合を強化することができる。代替的に、不透性カプセル６０１が、外側カプセルにおいて支持される内側カプセルとして構成される場合、追加の混合は、その内部空間において飲料を受容する外側カプセルにて生じる。従って、この方法において、飲料をそこから分配した後、残りのフレーバー媒体および使い捨てパッケージの外の液体跡と結合されなかったフレーバー媒体は、使い捨てパッケージ６００内に留まらない。
【００４１】
更なる実施形態において、不透性内側カプセル、破断可能な不透性内側カプセル、不透性外側カプセル、または破断可能な不透性外側カプセルの内部空間は、飲料の形成中に液体とフレーバー媒体との間の混合を強化する溝、段部、螺旋状のリッジ等の混合助媒を含むことができる。例えば、図６Ａおよび図６Ｂに示すように、各円錐壁６０３は、フレーバー媒体とそれに結合される液体との間の混合を強化する混合助媒を含む。図６Ａに示すように、円錐壁６０３の内部表面は、カプセル６０１の内部空間に供給される液体に旋回速度を付与して、液体とフレーバー媒体との間の混合を強化する螺旋状のリッジ６９０を含む。図６Ｂに示すように、円錐壁６０３の内部表面は、液体およびフレーバー媒体内に乱流を形成することにより、液体とフレーバー媒体との間の混合を強化する段部６９１を含む。
【００４２】
一実施形態において、各図１Ａ〜図１Ｆ、図２Ａ〜図２Ｆ、図３Ａ、図３Ｂ、図６Ａおよび図６Ｂの不透性カプセル１０１、２０１、３０１および６０１は、不透性外側カプセルに配置される不透性内側カプセルであることができる。不透性内側化カプセルを不透性外側カプセル内に配置することによって、その内部において上昇した圧力によって以前に変形（破断）された不透性内側カプセルから分配される飲料は、不透性外側カプセルの内部空間に指向することができ、不透性外側カプセルの液体出口部分により、制御された方法で飲料を分配することができる。各不透性内側カプセルは、均一に変形（破断）しなくてもよく、従って、その変形は、その内部空間から非制御下で分配される飲料となる結果となり得る。従って、外側カプセルは、熱成形された内側カプセルから分配された飲料を受容し、そこからの飲料を制御可能に分配することができる。
【００４３】
例えば、図７は、（図１Ａ〜図１Ｆ、図２Ａ〜図２Ｆ、図３Ａ、図３Ｂ、図６Ａおよび図６Ｂに示す不透性カプセル等の）破断可能な不透性内側カプセル７０１と、不透性外側カプセル７５１とを含む使い捨てパッケージ７００の一実施形態を示す。破断可能な不透性内側カプセル７０１は、その中にフレーバー媒体７０９を有する内部空間７０４を含む。不透性外側カプセル７５１は、熱成形されることが好ましく、破断可能な不透性内側カプセル７０１は、不透性外側カプセル内に配置する。代替的な実施形態において、不透性外側カプセル７５１は、射出成形外側カプセル等の成形外側カプセルまたはハイドロフォーム外側カプセルであってもよい。
【００４４】
破断可能な不透性内側カプセル７０１は、飲料を不透性外側カプセル７５１の内部空間７５４内に分配するように操作可能である。不透性外側カプセル７５１は、その中に内部空間７５４を画定する円錐壁７５３を含む。円錐壁７５３の頂部における環状位置決め手段７５７は、内側カプセル７０１の環状の上側リップ７０５（例えば、環状の上側リップ７０５の水平部分）と嵌合することにより、内側カプセル７０１を外側カプセル７５１の内部空間７５４に懸架する。環状位置決め手段７５７の頂部における環状のフランジ７５５は、外側カプセル７５１の内部空間７５４への開口部を包囲する。環状フランジ７５５は、使い捨てパッケージ７００を飲料生成装置の受け部にセットする構成とする。外側カプセル７５１の円錐壁７５３の先端部７７０に隣接するか、または円錐壁７５３の先端部７７０における円錐壁７５３の液体出口部分７５８は、そこから飲料を分配するよう操作可能である。
【００４５】
孔あけ可能な蓋７６０は、各不透性内側カプセルおよび不透性外側カプセル７０１，７５１の内部空間７０４，７５４の開口部を封止している。孔あけ可能な蓋７６０は、飲料生成装置の液体供給手段によって孔あけすることにより、内側カプセル７０１の内部空間７０４に供給された液体がフレーバー媒体７０９と結合して飲料を生成するように構成する。孔あけ可能な蓋７６０は、接着剤によって環状の上側リップ７０５の上側表面に封止されていることが好ましいが、代替的に、孔あけ可能な蓋７６０は、環状の上側リップ７０５の上側表面に加熱定着または超音波接合されてもよい。代替的な実施形態において、孔あけ可能な蓋７６０は、環状フランジ７５５の上側表面に加熱定着、超音波接合、または接着されてもよい。内側カプセル７０１は、内部空間７０４における液体の搬送中の内圧により、好ましくは変形（破断）することで、管状の側壁７０３およびその底壁７０２が環状の上側リップ７０５から離れて下向きに移動し、環状棚４１２が内側カプセル７０１の少なくとも１つの垂直な窪み７１１から引き剥がされて、環状棚７０７に少なくとも１つの各貫通開口部７０８を形成することで、少なくとも１つの各貫通開口部７０８を通じて飲料を分配し、外側カプセル７５１の内部空間７５４に進入することができる。各垂直な窪み７１１は、環状棚７０７から引き剥がされて、各貫通開口部７０８を形成することが好ましい。外側カプセル７５１の内部空間７５４に進入する飲料は、制御された方法で、外側カプセル７５１の円錐壁７５３の先端部７７０に隣接するか、または円錐壁７５３の先端部７７０における液体出口部分７５８を通じて外側カプセル７５１から分配される。
【００４６】
不透性外側カプセル７５１は、ポリエチレン（ＰＥ）、ポリエチレンテレフタレート共重合体（ＰＥＴＧ）、ポリプロピレン（ＰＰ）またはポリスチレンから形成されることが好ましい。内側カプセル７０１の環状の上側リップ７０５の下側表面は、外側カプセル７５１の環状位置決め手段７５５の上側表面に接着、超音波接合、または加熱定着されることが好ましい。一実施形態において、外側カプセル７５１の液体出口部分７５８は、開口部であるか、または使い捨てカプセルを飲料成形装置の受け部にセットする前にユーザにより除去されるシールを有する開口部であることができる。一実施形態において、開口部は、飲料が接触すると溶解する溶解可能なシールを含むことができる。一実施形態において、外側カプセル７５１の液体出口部分７５８は、孔あけ可能な領域を含むことができ、飲料生成装置は、その使用中に、外側カプセル体７５１の孔あけ可能な領域を孔あけするように構成されることで、液体出口部分７５８を通じて飲料を分配することができる。一実施形態において、飲料生成装置は、予め決定された時間の後に、例えば、飲料が外側カプセル７５１の内部空間７５４に進入する前、進入中、または進入後等に、外側カプセル体７５１の孔あけ領域を孔あけするように操作可能である。
【００４７】
不透性カプセル１０１，２０１，３０１，６０１並びに内側および外側カプセル４０１，４５１，５０１，５５１，７０１，７５１の実施形態は、ポリマー材料のシートまたはフィルムを熱成形することによって形成されることが好ましい。代替的に、カプセルは、成形、射出成形、またはハイドロフォームカプセルであることができる。フレーバー媒体は、熱成形された不透性カプセル１０１，２０１，３０１，６０１の内部空間または熱成形された不透性内側カプセル４０１，５０１，７０１に配置し、孔あけ可能な蓋により封止する。一実施形態において、図３および図５に示すように、少なくとも１つの貫通開口部３０８，５０８は、環状シール３１５，５１５によって封止されることが好ましい。不透性カプセルは、そこから飲料を分配することができるように、予め決定された圧力の下で破断するように操作可能な管状の側壁に脆弱部分を含むことができる。
【００４８】
飲料を生成するため、飲料生成装置の受け部に使い捨てパッケージをセットする。孔あけ可能な蓋は、装置の一部に封止されてもよく、飲料生成装置の液体供給手段によって孔あけされ、カプセルの内部空間を充填するように液体が供給される。液体は、フレーバー媒体と結合して、飲料を生成する。カプセルの内部空間における圧力の上昇により、環状棚における少なくとも１つの貫通開口部が開口することで、そこから飲料が分配可能となる。飲料は、カプセルの少なくとも１つの貫通開口部を通じて分配され、飲料は、分配された飲料を保持するグラス、カップまたは容器によって受容される。一実施形態において、カプセルは、内側カプセルであることができ、この場合、飲料は、内側カプセルの貫通開口部を通じて、内側カプセルが配置される外側カプセルの内部空間に分配される。続いて、飲料を外側カプセルの液体出口部分を通じて分配し、分配された飲料を保持するガラス、カップまた容器によって受容することができる。
【００４９】
代替的な実施形態において、飲料を生成するため、飲料生成装置の受け部に使い捨てパッケージをセットする。孔あけ可能な蓋は、装置の一部に封止されてもよく、飲料生成装置の液体供給手段によって孔あけされ、使い捨てパッケージにおけるカプセルの内部空間を充填するように液体が供給される。液体は、フレーバー媒体と結合して、飲料を生成する。カプセルの内部空間における圧力の上昇により、環状棚における少なくとも１つの貫通開口部が開口することで、その少なくとも１つの貫通開口部を通じて液体が分配可能となる。飲料は、少なくとも１つの貫通開口部を通じて分配され、飲料は、分配された飲料を保持するグラス、カップまたは容器によって受容される。一実施形態において、カプセルは、内側カプセルであることができ、この場合、飲料は、内側カプセルの少なくとも１つの貫通開口部を通じて、内側カプセルが配置される外側カプセルの内部空間に分配される。続いて、飲料を外側カプセルの液体出口部分を通じて分配し、分配された飲料を保持するガラス、カップまた容器によって受容することができる。
【００５０】
一実施形態において、飲料生成装置は、使い捨てパッケージを旋回させ、使い捨てパッケージを押しつぶし、またはカプセルの内部空間または内側カプセルに加圧ガス流を指向することにより、使い捨てパッケージから何らかの余剰の飲料を除去するように操作可能である。代替的に、飲料生成装置は、飲料生成後に、カプセルの底面または内側カプセルを孔あけすることにより、余剰の液体およびフレーバー媒体をカプセルまたは内側カプセル（および外側カプセル）から排出することができるように操作可能である。
【先行技術文献】
【特許文献】
【００５１】
【特許文献１】米国特許出願公開第２０１４／０２７２０１９号明細書
【特許文献２】米国特許出願公開第２０１４／０２７２００６号明細書
【特許文献３】米国特許出願公開第２０１６／００７３６７３号明細書
【図１Ａ】
2018513064.tif 000003
【図１Ｂ】
2018513064.tif 000004
【図１Ｃ】
2018513064.tif 000005
【図１Ｄ】
2018513064.tif 000006
【図１Ｅ】
2018513064.tif 000007
【図１Ｆ】
2018513064.tif 000008
【図２Ａ】
2018513064.tif 000009
【図２Ｂ】
2018513064.tif 000010
【図２Ｃ】
2018513064.tif 000011
【図２Ｄ】
2018513064.tif 000012
【図２Ｅ】
2018513064.tif 000013
【図２Ｆ】
2018513064.tif 000014
【図３Ａ】
2018513064.tif 000015
【図３Ｂ】
2018513064.tif 000016
【図４】
2018513064.tif 000017
【図５】
2018513064.tif 000018
【図６Ａ】
2018513064.tif 000019
【図６Ｂ】
2018513064.tif 000020
【図７】
2018513064.tif 000021
【国際調査報告】
2018513064.tif 000022